(57)【要約】      （修正有）【課題】遠近感を感じることができ、長く楽しめる多目的構造物を提供する。【解決手段】複数枚の透明樹脂板の主面（表裏いずれか一方又は両方）を間隔をあけて又は間隔をあけないで重ねて構成する。各樹脂板は少なくとも部分的に着色され、重ねあわされた状態の透明樹脂板を最前面主面側から観察すると、少なくとも一以上の透明樹脂板の透明部分又は半透明部分を透過して非最前面の透明樹脂板の着色部分が観察可能に構成される。単に観賞の用途にとどまらず、スマートフォン等の板状体を保持するといった実用的用途も充たすことが可能となる。【選択図】図１
0003202592.tif 000002
【実用新案登録請求の範囲】
【請求項１】
複数枚の透明樹脂板の主面（表裏いずれか一方又は両方。以下同じ。）を間隔をあけて又は間隔をあけないで重ねて構成される多目的構造物であり、
各樹脂板は少なくとも部分的に着色され、
重ねあわされた状態の透明樹脂板を最前面主面側から観察すると、
少なくとも一以上の透明樹脂板の透明部分又は半透明部分を透過して非最前面の透明樹脂板の着色部分が観察可能に構成される多目的構造物。
【請求項２】
前記透明樹脂板は、アクリル樹脂板である請求項１に記載の多目的構造物。
【請求項３】
前記複数枚の樹脂板は同じ形状にカッティングされた請求項１又は２に記載の多目的構造物。
【請求項４】
前記透明樹脂板にてスマートフォン、携帯電話、その他の板状体を保持可能に配置した保持部を有する請求項１から３のいずれか一に記載の多目的構造物。
【考案の詳細な説明】
【技術分野】
【０００１】
本件考案は、アクリル樹脂等の透明樹脂板を複数使用して構成される多目的構造物に関する。
【背景技術】
【０００２】
従来より、１枚の板（生地）に、蓄光発光顔料を含む複数種類の塗料を塗って、光の状態により異なる絵柄を浮かび上がらせる構造物が知られている。
【特許文献１】実登第３０８９３８３号
【考案の開示】
【考案が解決しようとする課題】
【０００３】
しかしながら、従来の構造物は、光の状態により浮かび上がらせる絵柄を異ならせるだけで、遠近感を持たせるといったより複雑な効果をもたらすものではなく、使用者がすぐに飽きてしまうという問題があった。
【課題を解決するための手段】
【０００４】
以上の課題を解決するため、第一の考案は、複数枚の透明樹脂板の主面（表裏いずれか一方又は両方。以下同じ。）を間隔をあけて又は間隔をあけないで重ねて構成される多目的構造物であり、各樹脂板は少なくとも部分的に着色され、重ねあわされた状態の透明樹脂板を最前面主面側から観察すると、少なくとも一以上の透明樹脂板の透明部分又は半透明部分を透過して非最前面の透明樹脂板の着色部分が観察可能に構成される多目的構造物を提供する。
【０００５】
第二の考案は、前記透明樹脂板は、アクリル樹脂板である第一の考案に記載の多目的構造物を提供する。
【０００６】
第三の考案は、前記複数枚の樹脂板は同じ形状にカッティングされた第一又は第二の考案に記載の多目的構造物を提供する。
【０００７】
第四の考案は、前記透明樹脂板にてスマートフォン、携帯電話、その他の板状体を保持可能に配置した保持部を有する第一から第三の考案のいずれか一に記載の多目的構造物を提供する。
【考案の効果】
【０００８】
本件考案によれば、重ねあわされた状態の複数の透明樹脂板を最前面主面側から観察すると、少なくとも一以上の透明樹脂板の透明部分を透過して非最前面の透明樹脂板の着色部分が観察可能に構成されるので、遠近感を感じることができ、使用者にとって長く楽しめる多目的構造物を提供することが可能である。また、単に観賞の用途にとどまらず、スマートフォン等の板状体を保持するといった実用的用途も充たすことが可能となる。
【図面の簡単な説明】
【０００９】
【図１】多目的構造物の斜視図
【図２】多目的構造物の正面図
【図３】多目的構造物の左側面図
【図４】多目的構造物の左側面図
【図５】着色可能箇所を示す多目的構造物の左側面図
【図６】構成可能な透明樹脂板の概念図
【図７】透明樹脂板の設置角度及び形状の具体例
【図８】モータを有する多目的構造物の具体例
【符号の説明】
【００１０】
０１００      多目的構造物
０１０１      透明樹脂板
０１０１−１  最前面の透明樹脂板
０１０１−２  非最前面の透明樹脂板
０１０１−３  非最前面の透明樹脂板
０１０１−４  非最前面の透明樹脂板
０１０２      着色部分
０１０２−１  最前面の透明樹脂板の着色部分
０１０２−２  非最前面（中間）の透明樹脂板の着色部分
０１０２−３  非最前面（最背面）の透明樹脂板の着色部分
０８０３      モータ
０８０４      ねじ状部材
０８０５      ナット状部材
【考案を実施するための最良の形態】
【００１１】
以下に本件考案の実施例を説明する。実施例は請求項１から４について説明している。なお、本件考案はこれらの実施例に限定されるものではなく、その要旨を逸脱しない範囲において、種々なる態様で実施しうる。
【００１２】
≪実施例≫
【００１３】
＜概要＞
実施例の多目的構造物は、複数枚の透明樹脂板の間隔をあけて、あるいはあけないで重ねて構成される多目的構造物であり、観察者から見て最前面に設置された透明樹脂板から観察すると、非最前面の透明樹脂板の着色箇所が観察されるので、見る者が遠近感を感じられるような特徴を有する。
【００１４】
図１は、多目的構造物（０１００）の斜視図であり、各透明樹脂板の間隔をあけて構成されている場合の具体例である。複数の透明樹脂板（正面から見た最前面の樹脂板から０１０１−１、０１０１−２、０１０１−３、０１０１−４とする。）には、着色部分があり（正面から見た最前面の樹脂板における着色部分を０１０２−１、０１０２−２、０１０２−３とする。なお、全く着色されていない透明樹脂板があることを排除するものではない。）、最前面の透明樹脂板から、非最前面の透明樹脂板の着色部分が観察可能に構成される。
図２は、多目的構造物の正面図である。最前面主面側から見ると、最前面の透明樹脂板（０２０１−１）から、非最前面に構成される透明樹脂板の着色部分（０２０２−２及び０２０２−３）が見えるように構成される。
【００１５】
＜構成＞
（透明樹脂板）
「透明樹脂板」（図１・０１０１）は、透明樹脂でできた板であり、透明樹脂の種類としては、具体的に例えば、アクリル、プラスチック、シリコン、エポキシ樹脂、ガラス、ＰＥＴ、塩化ビニル、ポリカーボネート等が考えられる。とりわけアクリル樹脂は、カッティングのしやすさと、着色の容易性の点から、本多目的構造物の構成にとって優れた素材であるといえる。
【００１６】
複数の透明樹脂板の枚数は、２枚以上であればよいが、より遠近感を感じさせるためには、３枚以上の複数枚であることが好ましい。
【００１７】
「透明樹脂板の主面」とは、図柄等の着色がされ、見る者に対してその着色状の特徴を提示する面のことである。観察は、表裏どちらから行われても良いので、表裏いずれか一方又は両方を主面としてもよい。
【００１８】
複数の透明樹脂板（０３０１）の間隔は、あけていても、あけていなくても良い。図３の（ａ）は、各透明樹脂板の間隔をあけている場合の具体例であり、同図の（ｂ）は、各透明樹脂板（０３１１）の間隔をあけていない場合の具体例である。間隔をあけて構成される場合には、その間隔のところに、手紙や、ノート等を入れて整理するような、いわばブックエンドのような機能も持たせることが可能となる。
【００１９】
複数の透明樹脂板の厚さは、それぞれ異なる厚さであっても、同じ厚さであってもよい。図４の（ａ）は、各透明樹脂板（０４０１）が異なる厚さ（ｃ、ｄ、ｅ）の場合の具体例であり、同図の（ｂ）は、各透明樹脂板（０４１１）が同じ厚さ場合であって、各透明樹脂板の距離を変更した場合（ｆ、ｇ）の具体例である。厚みや距離を変更することにより、より複雑な遠近感を感じさせることが可能となる。
【００２０】
また、複数の透明樹脂板のそれぞれのカッティングは、同じでも異なっていても良い。
【００２１】
図５は、透明樹脂板の着色箇所を示す概念図である。着色は、透明樹脂板の全面的に施されても良い。図６は、本願における着色の概念である。本願において、「着色」とは、非透過、半透過、半反射、全反射、発光を含むものとする。
【００２２】
図７は、透明樹脂板の固定角度及び形状についての概念図である。図７（ａ）に表されるように、各透明樹脂板（０７０１）の固定角度については、任意に変更可能である。多目的構造物を利用する者が各透明樹脂板の角度を変更できるようにあとから固定角度を変更できるようにしても良い。
同図（ｂ）は、透明樹脂板（０７１１）の長手方向中間付近で「く」の字に曲がっている場合である。透明樹脂板自体の形状を複雑化することにより、着色部分から感じられる遠近感に変化をもたせることが可能となる。
【００２３】
上記の構成に加え、前記透明樹脂板にてスマートフォン、携帯電話、その他の板状体を保持可能に配置するよう「保持部」を設けることも可能である。スマートフォン等、保持すべき板状体の大きさ・形態に応じて保持部における具体的保持態様は、変更可能である。板状体は、スマートフォンのような電子機器に限らず、本、ノート（閉じた状態・開いた状態を問わない）、定期券、身分証明書等のような電子機器でない板状体が含まれる。また、これらの外に、全く情報を表示するものではない筆記具などの身の回り品を保持することを排除するものではない。
【００２４】
さらには、本件多目的構造物に、モータを付け、複数の透明樹脂板が動くように構成してもよい。図８は、モータ（０８０３）を有する多目的構造物の具体例である。図８（ａ）は、透明樹脂板（０８０１）が丸型であり、モータにより、透明樹脂板を回転させるよう構成している。同図（ｂ）は、モータに接続するねじ状部材（０８０４）に、ナット状部材（０８０５）を固定し、ナット状部材に透明樹脂板（０８１１）を設置したものである。モータが動くことによって、ねじ状部材のらせん部分をナットが移動するので、ナットに固定されている透明樹脂板が前後等に移動することが可能となる。透明樹脂板を動かすことにより、さらに複数の透明樹脂板におけるデザインの変化を楽しむことが可能となる。
＜効果＞
本件考案によれば、重ねあわされた状態の複数の透明樹脂板を最前面主面側から観察すると、少なくとも一以上の透明樹脂板の透明部分を透過して非最前面の透明樹脂板の着色部分が観察可能に構成されるので、遠近感を感じることができ、使用者にとって長く楽しめる多目的構造物を提供することが可能である。また、単に観賞の用途にとどまらず、スマートフォン等の板状体を保持するといった実用的用途も充たすことが可能となる。
【図１】
0003202592.tif 000003
【図２】
0003202592.tif 000004
【図３】
0003202592.tif 000005
【図４】
0003202592.tif 000006
【図５】
0003202592.tif 000007
【図６】
0003202592.tif 000008
【図７】
0003202592.tif 000009
【図８】
0003202592.tif 000010